(57)【要約】【課題】  紙容器本体から口栓を容易に取り外すことができるようにした口栓付紙容器を得る。【解決手段】  胴部正面パネル８に連接する頂面パネル１４に口栓を接着し、胴部正面パネル８と胴部左側面パネル９との間の角部を形成する胴部縦折線６が２本の凹面部形成用折線部６ａ，６ｂを有し、胴部正面パネル８と胴部左側面パネル９の間の角部に、２本の凹面部形成用折線部６ａ，６ｂで囲まれた凹面部２７を形成した口栓付紙容器において、口栓２が接着された頂面パネル１４に、口栓２の下部中央から下方に向かって胴部正面パネル８と頂面パネル１４の間の第１頂部横折線１３に繋がる第１折り曲げ誘導罫線２９を設け、胴部正面パネル１４に、胴部正面パネル１４側に分岐した凹面部形成用折線部６ｂの略頂部Ｐと第１折り曲げ誘導罫線２９を繋ぐ第２折り曲げ誘導罫線３０を設けた。【選択図】図１
2020158131.tif 000002
【特許請求の範囲】
【請求項１】
胴部縦折線を介して連接する胴部正面パネル、胴部左右側面パネル、胴部背面パネルの開放端縁をシールすることによって形成された四角の胴部を有し、前記胴部正面パネル及び胴部背面パネルと第１頂部横折線を介して連接する一対の頂面パネルと、前記胴部左右側面パネルと第２頂部横折線を介して連接する一対の側面パネルとが折り込まれシールされて密封されることによって形成された頂部を有し、前記胴部正面パネルに連接する頂面パネルにキャップとスパウトからなる口栓が接着され、前記胴部を形成する前記胴部正面パネルと前記胴部左右側面パネルの少なくとも一方の胴部側面パネルとの間の角部を形成する胴部縦折線は、前記胴部縦折線の上端又は上端から僅かに離れた位置を起点とし、該起点から前記胴部正面パネルと前記胴部側面パネルとに分岐して下端方向に向かって延在し、下端又は下端に至るまでの間の位置で繋がり終点とする２本の凹面部形成用折線部を有し、前記胴部正面パネルと前記胴部側面パネルの間の角部に、前記２本の凹面部形成用折線部に囲まれた凹面部が形成されている口栓付紙容器において、
前記口栓が接着された前記頂面パネルに、前記口栓の下部中央から下方に向かって前記胴部正面パネルと前記頂面パネルの間の前記第１頂部横折線に繋がる第１折り曲げ誘導罫線が設けられ、前記胴部正面パネルに、前記２本の凹面部形成用折線部のうち、前記胴部正面パネル側に分岐した前記凹面部形成用折線部の略頂部と前記第１折り曲げ誘導罫線を繋ぐ第２折り曲げ誘導罫線が設けられていることを特徴とする口栓付紙容器。
【請求項２】
前記口栓が接着された前記頂面パネルに形成された前記第１折り曲げ誘導罫線は、前記口栓の下部中央から垂下して前記第１頂部横折線に繋がっていることを特徴とする請求項１に記載の口栓付紙容器。
【請求項３】
前記第１折り曲げ誘導罫線は、前記口栓が接着される前記頂面パネルに形成された前記口栓と連通する開口部に繋がっていることを特徴とする請求項１または２に記載の口栓付紙容器。
【発明の詳細な説明】
【技術分野】
【０００１】
本発明は、牛乳やジュース等の液体飲料、液体洗剤、ゼリーやクリームなどの粘稠物、果実片等の固形状の食物をミックスした液体飲料などの液状物を収容するフラットトップ型頂部を有する口栓付紙容器である。
【背景技術】
【０００２】
液体を収容する紙容器として、紙容器本体の頂部にプラスチック製の口栓を溶着して設けた口栓付紙容器が広く用いられている。このような口栓付紙容器は、環境保全や資源の再利用のため、使用後には紙容器本体と口栓とに分別して収集するといったことが行われている。
【０００３】
しかし、プラスチック製の口栓が紙容器本体の頂部に溶着して設けられている場合、素手で紙容器本体の頂部から口栓を取り外すことは困難である。そのため、ハサミやカッターナイフ等で口栓の周囲を切断して口栓を切り取るといったことが行われているが、誤って怪我をするおそれがあり、安全性に欠ける。
【０００４】
そこで、紙容器本体から口栓をハサミやカッターナイフ等を使用することなく、取り外すことができるようにしたものとして、口栓を設けた頂面と頂面に横折線を介して連接する胴部に、頂面に設けた口栓の左右中央下方近傍位置より横折線と交差して頂面と胴部に跨がる縦罫線を設け、口栓の下方の頂面を指で押圧して、押圧部分に縦罫線の作用による凹部を形成し、口栓のスパウトの下面を頂面から一部剥離させ、この剥離部をきっかけとして口栓を頂面から剥離させ、紙容器本体から口栓を取り外すようにした口栓付紙容器が開示されている（例えば特許文献１参照。）。
【先行技術文献】
【特許文献】
【０００５】
【特許文献１】特開２００１−３１５７７０号公報
【発明の概要】
【発明が解決しようとする課題】
【０００６】
特許文献１に記載されている口栓付紙容器によれば、紙容器本体からの口栓の取り外しは、口栓の下方の頂面を指で押圧して、押圧部分に縦罫線の作用による凹部を形成し、口栓のスパウトの下面を頂面から一部剥離させ、口栓取り外しのきっかけとしている。
しかしながら、横折線と交差して頂面と胴部に跨がる縦罫線は短く、しかも指による押圧力を受けて作用するのは、横折線と交差して頂面と胴部に跨がる縦罫線だけなので、凹部を形成させる作用を縦罫線に与えるためには大きい押圧力が必要となる。このため力の弱い、例えば老人や女性には口栓の下方の頂面を凹ませ紙容器本体から口栓を取り外すことは困難であるといった問題がある。
【０００７】
本発明の目的は、紙容器本体から口栓を容易に取り外すことができるようにした口栓付紙容器を提供することにある。
【課題を解決するための手段】
【０００８】
上記の目的を達成するために、請求項１に記載の発明は、胴部縦折線を介して連接する胴部正面パネル、胴部左右側面パネル、胴部背面パネルの開放端縁をシールすることによって形成された四角の胴部を有し、前記胴部正面パネル及び胴部背面パネルと第１頂部横折線を介して連接する一対の頂面パネルと、前記胴部左右側面パネルと第２頂部横折線を介して連接する一対の側面パネルとが折り込まれシールされて密封されることによって形成された頂部を有し、前記胴部正面パネルに連接する頂面パネルにキャップとスパウトからなる口栓が接着され、前記胴部を形成する前記胴部正面パネルと前記胴部左右側面パネルの少なくとも一方の胴部側面パネルとの間の角部を形成する胴部縦折線は、前記胴部縦折線の上端又は上端から僅かに離れた位置を起点とし、該起点から前記胴部正面パネルと前記胴部側面パネルとに分岐して下端方向に向かって延在し、下端又は下端に至るまでの間の位置で繋がり終点とする２本の凹面部形成用折線部を有し、前記胴部正面パネルと前記胴部側面パネルの間の角部に、前記２本の凹面部形成用折線部に囲まれた凹面部が形成されている口栓付紙容器において、前記口栓が接着された前記頂面パネルに、前記口栓の下部中央から下方に向かって前記胴部正面パネルと前記頂面パネルの間の前記第１頂部横折線に繋がる第１折り曲げ誘導罫線が設けられ、前記胴部正面パネルに、前記２本の凹面部形成用折線部のうち、前記胴部正面パネル側に分岐した前記凹面部形成用折線部の略頂部と前記第１折り曲げ誘導罫線を繋ぐ第２折り曲げ誘導罫線が設けられていることを特徴とする。
【０００９】
請求項１に記載の発明によれば、前記口栓が接着された前記頂面パネルに、前記口栓の上部中央から下方に向かって前記胴部正面パネルと前記頂面パネルの間の前記第１頂部横折線に繋がる第１折り曲げ誘導罫線が設けられ、前記胴部正面パネルに、前記２本の凹面部形成用折線部のうち、前記胴部正面パネル側に分岐した前記凹面部形成用折線部の略頂部と前記第１折り曲げ誘導罫線を繋ぐ第２折り曲げ誘導罫線が設けられているので、紙容器本体からの口栓の取り外しに際し、前記第１折り曲げ誘導罫線と前記第１頂部横折線との交点部位を指で押圧すると、前記第１折り曲げ誘導罫線と前記第１頂部横折線と第２折り曲げ誘導罫線と前記凹面部形成用折線部における略頂部までの折線部とが相互に作用して、前記口栓の下方に前記第１折り曲げ誘導罫線と前記第１頂部横折線との交点部位を最深部として凹み、これにより、前記口栓における前記スパウトの下部を前記頂面パネルから剥離させることができ、この剥離した部分を口栓取り外しのきっかけとし、前記スパウトを頂面パネルから剥離することにより、紙容器本体から口栓を容易に取り外すことができる。
前記第１折り曲げ誘導罫線と前記第１頂部横折線との交点部位への押圧力は、前記のように、前記第１折り曲げ誘導罫線と前記第１頂部横折線と前記第２折り曲げ誘導罫線と前記凹面部形成用折線部における略頂部までの折線部とに作用するので、特許文献１に記載されているような口栓付紙容器に比べ、遙かに小さい押圧力で前記口栓の下方を凹ませることができる。
【００１０】
請求項２に記載の発明は、請求項１に記載の、前記口栓が接着された前記頂面パネルに形成された前記第１折り曲げ誘導罫線は、前記口栓の下部中央から垂下して前記第１頂部横折線に繋がっていることを特徴とする。
【００１１】
請求項２に記載の発明によれば、前記口栓が接着された前記頂面パネルに形成された前記第１折り曲げ誘導罫線は、前記口栓の下部中央から垂下して前記第１頂部横折線に繋がっているので、前記口栓の下方を大きく凹ませることができ、その分、凹ませたときの前記口栓における前記スパウトの下部の剥離面積が大きくなり、紙容器本体からの口栓の取り外しが容易になる。
【００１２】
請求項３に記載の発明は、請求項１または２に記載の、前記第１折り曲げ誘導罫線は、前記口栓が接着される前記頂面パネルに形成された前記口栓と連通する開口部に繋がっていることを特徴とする。
【００１３】
請求項３に記載の発明によれば、前記第１折り曲げ誘導罫線は、前記口栓が接着される前記頂面パネルに形成された前記口栓と連通する開口部に繋がっているので、前記口栓の下方を一層大きく凹ませることができ、その分、凹ませたときの前記口栓における前記スパウトの下部の剥離面積が大きくなり、紙容器本体からの口栓の取り外しが一層容易になる。
【発明の効果】
【００１４】
以上のように、本発明に係る口栓付紙容器によれば、紙容器本体から口栓を容易に取り外すことができる。
【図面の簡単な説明】
【００１５】
【図１】本発明に係る口栓付紙容器の実施の形態の一例を示す斜視図である。
【図２】図１に示す口栓付紙容器の紙容器本体を形成するカートンブランクスである。
【図３】紙容器本体の第１折り曲げ誘導罫線と第１頂部横折線との交点部位を指で押圧して凹ませ、口栓のスパウトの一部を頂面パネルから剥離させた状態を示す説明図である。
【図４】図３の紙容器本体の凹んだ部位を示す拡大断面説明図である。
【図５】本発明に係る口栓付紙容器の実施の形態の他例を示す斜視図である。
【発明を実施するための形態】
【００１６】
以下、本発明に係る口栓付紙容器の実施の形態の一例を、図面を参照して詳細に説明する。
図１乃至図４は本発明に係る口栓付紙容器の実施の形態の一例を示すものであり、図１は本例の口栓付紙容器の斜視図、図２は図１に示す口栓付紙容器の紙容器本体を形成するカートンブランクス、図３は紙容器本体の第１折り曲げ誘導罫線と第１頂部横折線との交点部位を指で押圧して凹ませ、口栓のスパウトの一部を頂面パネルから剥離させた状態を示す説明図、図４は図３の紙容器本体の凹んだ部位を示す拡大断面説明図である。
【００１７】
本例の口栓付紙容器は、四角の胴部４と平坦な頂部１２を有する紙容器本体１と、紙容器本体１の頂部１２に設けられた口栓２とからなり、紙容器本体１は図２に示すカートンブランクス３から成形される。
【００１８】
カートンブランクス３は、四角の胴部４を形成するところの胴部縦折線５，６，７を介して連接する胴部正面パネル８と胴部左右側面パネル９，１０と胴部背面パネル１１とを有し、また、頂部１２を形成するところの胴部正面パネル８及び胴部背面パネル１１に第１頂部横折線１３を介して連接する一対の頂面パネル１４，１５と、胴部左右側面パネル９，１０に第２頂部横折線１６を介して連接する一対の側面パネル１７，１８と、一対の頂面パネル１４，１５に第１トップシール横折線１９を介して連接する一対の第１トップシールパネル２０，２１と、一対の側面パネル１７，１８に第２トップシール横折線２２を介して連接する一対の第２トップシールパネル２３，２４とを有している。
【００１９】
一対の側面パネル１７，１８には第２トップシールパネル横折線２２の中点から第２頂部横折線１６の両端を結ぶ傾斜罫線２５，２６が形成され、第２トップシールパネル２３，２４には第２トップシールパネル２３，２４の上端から垂下して第２トップシールパネル横折線２２の中点に至る側面トップシール縦折線３４が形成されている。
【００２０】
また、胴部４を形成する胴部正面パネル８と胴部左側面パネル９との間の角部を形成する胴部縦折線６は、胴部縦折線６の上端又は上端から僅かに離れた位置を起点Ａとし、該起点Ａから胴部正面パネル８と胴部左側面パネル９とに分岐して下端方向に向かって延在し、下端又は下端に至るまでの間の位置で繋がり終点Ｂとし、胴部正面パネル８と胴部側面パネル９の間の角部に凹面部２７を形成する２本の凹面部形成用折線部６ａ，６ｂを有している。
【００２１】
また、胴部正面パネル８に第１頂部横折線１３を介して連接する頂面パネル１４は口栓２が接着される面となっており、口栓２と連通させる開口部２８が形成されている。
【００２２】
頂面パネル１４へ接着される口栓２はキャップ２ａとスパウト２ｂからなり、スパウト２ｂを開口部２８の周囲に溶着により接着する。
【００２３】
さらに、口栓２が接着された頂面パネル１４には、接着される口栓２の下部中央から下方に向かって胴部正面パネル８と頂面パネル１４の間の第１頂部横折線１３に繋がる第１折り曲げ誘導罫線２９が設けられている。
本例では、第１折り曲げ誘導罫線２９は、口栓２の下部中央から垂下して第１頂部横折線に繋がっている。
また、本例では、第１折り曲げ誘導罫線２９は、口栓２に接着される頂面パネルに形成された口栓２と連通する開口部２８に繋がるように設けられている。
【００２４】
さらに、胴部正面パネル８には、２本の凹面部形成用折線部６ａ，６ｂのうち、胴部正面パネル８側に分岐した凹面部形成用折線部６ｂの略頂部Ｐと第１折り曲げ誘導罫線２９を繋ぐ第２折り曲げ誘導罫線３０が設けられている。
【００２５】
本例では、紙容器本体１の頂部１２は、側面トップシール縦折線３４を山折りして第１トップシールパネル２０，２１及び第２トップシールパネル２３，２４の対向面を貼り合わせて頂部１２を封止し、傾斜罫線２５，２６を山折りして側面パネル１４，１５から略三角形状のフラップ３１，３２を形成し、フラップ３１，３２を筒状胴部４の左右の側面となる胴部左右側面パネル９，１０に折り重ねて平坦な頂部１２としている。
【００２６】
なお、本例では、胴部４の角部に凹面部２７を形成する２本の凹面部形成用折線部６ａ，６ｂを胴部正面パネル８と胴部左側面パネル９との間の角部を形成する胴部縦折線６に有しているが、胴部正面パネル８と胴部右側面パネル１０との間の角部を形成する胴部縦折線７に有していてもよい。
【００２７】
このように構成された口栓付紙容器の紙容器本体１からの口栓２の取り外しは、次のように行われる。
【００２８】
紙容器本体１における第１折り曲げ誘導罫線２９と第１頂部横折線１３との交点部位Ｃを指で押圧する。
この押圧により、第１折り曲げ誘導罫線２９と第１頂部横折線１３と第２折り曲げ誘導罫線３０と凹面部形成用折線部６ｂにおける略頂部Ｐまでの折線部６ｃとが相互に作用して、口栓２の下方が第１折り曲げ誘導罫線２９と第１頂部横折線１３との交点部位Ｃを最深部として凹み、凹部３３を形成する（図３，図４参照。）。
【００２９】
このときの第１折り曲げ誘導罫線２９と第１頂部横折線１３との交点部位Ｃへの押圧力は、前記のように、第１折り曲げ誘導罫線２９と第１頂部横折線１３と第２折り曲げ誘導罫線２９と凹面部形成用折線部６ｂにおける略頂部Ｐまでの折線部６ｃとに作用するので、特許文献１に記載されているような口栓付紙容器に比べ、遙かに小さい押圧力で前記口栓の下方凹ませることができる。
【００３０】
これにより、口栓２におけるスパウト２ｂの下部を頂面パネル１４から剥離させることができ、この剥離した部分を口栓２の取り外しのきっかけとし、スパウト２ｂを頂面パネル１４から剥離することにより、紙容器本体１から口栓２を容易に取り外すことができる。
【００３１】
本例では、口栓２が接着された頂面パネル１４に形成された第１折り曲げ誘導罫線２９は、口栓２の下部中央から垂下して第１頂部横折線１３に繋がっているので、口栓２の下方を大きく凹ませることができ、その分、凹ませたときの口栓２におけるスパウト２ｂの下部の剥離面積が大きくなり、紙容器本体１からの口栓２の取り外しが容易になる。
【００３２】
また、本例では、第１折り曲げ誘導罫線２９は、口栓２が接着される頂面パネル１４に形成された口栓２と連通する開口部２８に繋がっているので、口栓２の下方を一層大きく凹ませることができ、その分、凹ませたときの口栓２におけるスパウト２ｂの下部の剥離面積が大きくなり、紙容器本体１からの口栓２の取り外しが一層容易になる。
【００３３】
本例では、紙容器本体１が平坦なフラットトップ型の頂部１２を有する口栓付紙容器に実施されているが、本発明は、紙容器本体がゲーブルトップ型の頂部を有する口栓付紙容器にも実施される。図５は紙容器本体の頂部がゲーブルトップ型の口栓付紙容器の斜視図である。
【００３４】
ゲーブルトップ型の口栓付紙容器にあっても、フラットトップ型の口栓付紙容器と同様に、口栓２が接着された頂面パネル１４には、接着される口栓２の下部中央から下方に向かって胴部正面パネル８と頂面パネル１４の間の第１頂部横折線１３に繋がる第１折り曲げ誘導罫線２９が設けられ、胴部正面パネル１４には、２本の凹面部形成用折線部６ａ，６ｂのうち、胴部正面パネル１４側に分岐した凹面部形成用折線部６ｂの略頂部Ｐと第１折り曲げ誘導罫線２９を繋ぐ第２折り曲げ誘導罫線３０が設けられている。
【００３５】
そして、紙容器本体１からの口栓２の取り外しも、前記したフラットトップ型の頂部１２を有する口栓付紙容器の場合と同様にして取り外すことができる。
【符号の説明】
【００３６】
１  紙容器本体
２  口栓
２ａ  キャップ
２ｂ  スパウト
３  カートンブランクス
４  胴部
５，６，７  胴部縦折線
６ａ，６ｂ  凹面部形成用折線部
６ｃ  折線部
８  胴部正面パネル
９  胴部左側面パネル
１０  胴部右側面パネル
１１  胴部背面パネル
１２  頂部
１３  第１頂部横折線
１４，１５  頂面パネル
１６  第２頂部横折線
１７，１８  側面パネル
１９  第１トップシール横折線
２０，２１  第１トップシールパネル
２２  第２トップシール横折線
２３，２４  第２トップシールパネル
２５，２６  傾斜罫線
２７  凹面部
２８  開口部
２９  第１折り曲げ誘導罫線
３０  第２折り曲げ誘導罫線
３１，３２  フラップ
３３  凹部
３４  側面トップシールパネル
Ａ  起点
Ｂ  終点
Ｃ  交点部位
Ｐ  略頂点部
【図１】
2020158131.tif 000003
【図２】
2020158131.tif 000004
【図３】
2020158131.tif 000005
【図４】
2020158131.tif 000006
【図５】
2020158131.tif 000007